(57)【要約】【課題】本発明は、これらの事情に鑑みてなされたものであり、その目的とするところは、バルーンの収縮状態において、血管壁を傷つけない新規な構造のカッティングバルーンカテーテルを提供することにある。【解決手段】本発明の特徴とするところは、カテーテル本体の遠位端側に取り付けられたバルーンと、前記バルーンの遠位端側に設けられた第１管体と、前記バルーンの近位端側に設けられた第２管体と、前記第１管体と前記第２管体のいずれか一方が摺動可能であって、膨張または収縮される前記バルーンの外面に延接され、前記第１管体と前記第２管体とを接続する超弾性ワイヤと、前記超弾性ワイヤの外面に設けられた突出部と、を具備し、前記超弾性ワイヤが、超弾性力を利用して、収縮状態では前記突出部の先端をバルーンの外面により近接されるコントロール部位を有するカッティングバルーンカテーテルにある。【選択図】図２
2011098061.tif 000002
【特許請求の範囲】
【請求項１】
カテーテル本体の遠位端側に取り付けられたバルーンと、
前記バルーンの遠位端側に設けられた第１管体と、
前記バルーンの近位端側に設けられた第２管体と、
前記第１管体と前記第２管体のいずれか一方が摺動可能であって、膨張または収縮される前記バルーンの外面に延接され、前記第１管体と前記第２管体とを接続する超弾性ワイヤと、
前記超弾性ワイヤの外面に設けられた突出部と、を具備し、
前記超弾性ワイヤが、超弾性力を利用して、収縮状態では前記突出部の先端をバルーンの外面により近接されるコントロール部位を有するカッティングバルーンカテーテル。
【請求項２】
前記コントロール部位が、前記超弾性ワイヤの屈折部位であることを特徴とする請求項１に記載のカッティングバルーンカテーテル。
【請求項３】
前記超弾性ワイヤが平面ワイヤ形状であって、前記超弾性ワイヤが斜め長手方向へ適宜の角度に前記屈折部位で折り返されることを特徴とする請求項２に記載のカッティングバルーンカテーテル。
【請求項４】
前記屈折部位が前記超弾性ワイヤの遠位端側および近位端側に有し、前記屈折部位が波状形状であることを特徴とする請求項１から３のいずれかに記載のカッティングバルーンカテーテル。
【発明の詳細な説明】
【技術分野】
【０００１】
本発明は、血管の狭窄部位となる血栓を切削するカッティングバルーンカテーテルに関する。
【背景技術】
【０００２】
従来から、血管の内面に凝固血液や粥腫による血栓が生じた場合には、血栓で狭窄された血管にバルーンカテーテルを挿入して膨らませることで、拡張圧によって血管形成を行わせる方法が知られている。但し、石灰化胃病変等の硬い血栓が生じた場合には、前記態様ではうまく血管形成できないことがある。よって、バルーンの表面にブレードを固定し、バルーンの拡張圧にて血栓を除去する態様である、いわゆるカッティングバルーンカテーテルが知られている（特許文献１：特表２００８−５２９７４０）。
【０００３】
しかしながら、このようなカッティングバルーンカテーテルは、使用前にはバルーンにラッピングされた中にブレードが隠れる形で収納されているが、一旦拡張されるとブレードがバルーン表面に対し外向きに突出した状態のままである。よって、当該カッティングバルーンカテーテルは、血管から抜き去る場合に、血管壁を傷つけるおそれがある。
【先行技術文献】
【特許文献】
【０００４】
【特許文献１】特表２００８−５２９７４０
【発明の概要】
【発明が解決しようとする課題】
【０００５】
本発明は、これらの事情に鑑みてなされたものであり、その目的とするところは、バルーンの収縮状態において、血管壁を傷つけない新規な構造のカッティングバルーンカテーテルを提供することにある。
【課題を解決するための手段】
【０００６】
本発明の特徴とするところは、カテーテル本体の遠位端側に取り付けられたバルーンと、前記バルーンの遠位端側に設けられた第１管体と、前記バルーンの近位端側に設けられた第２管体と、前記第１管体と前記第２管体のいずれか一方が摺動可能であって、膨張または収縮される前記バルーンの外面に延接され、前記第１管体と前記第２管体とを接続する超弾性ワイヤと、前記超弾性ワイヤの外面に設けられた突出部と、を具備し、前記超弾性ワイヤが、超弾性力を利用して、収縮状態では前記突出部の先端をバルーンの外面により近接されるコントロール部位を有するカッティングバルーンカテーテルにある。
【発明の効果】
【０００７】
本発明に従う構造とされたカッティングバルーンカテーテルにおいては、超弾性力を利用したワイヤを用いて、バルーンの収縮状態では突出部を血管壁に向けないように形状付けされているので、バルーン部分を血管から抜き去る場合に、血管壁を傷つけない機能を発揮できる。
【０００８】
その上、本発明に従う構造とされたカッティングバルーンカテーテルにおいては、バルーンの膨張状態では突出部を血管壁方向に向けるが、超弾性力を利用したワイヤを用いているので、再度、バルーンの収縮状態に戻すと突出部を血管壁に向けないような機能を発揮できる。
【図面の簡単な説明】
【０００９】
【図１】本発明の実施形態としてのカッティングバルーンカテーテルの示す、バルーンの膨張状態の遠位端側概略図。
【図２】本発明の実施形態としてのカッティングバルーンカテーテルの示す、バルーンの収縮状態の遠位端側概略図。
【図３】本発明の別の実施形態としてのカッティングバルーンカテーテルの示す、バルーンの収縮状態の遠位端側概略図。
【図４】図１のＡ−Ａ断面図。
【図５】図２のＢ−Ｂ断面図。
【発明を実施するための形態】
【００１０】
以下、本発明を更に具体的に明らかにするために、本発明の実施形態について、図面を参照しつつ、詳細に説明する。
【００１１】
本発明でいうカッティングバルーンカテーテルの近位端側には、例えば、圧力流体給排口、または、ガイドワイヤ取出口等が設けられていることが望ましい。当該近位端側は、治療の際には人体から露出されているので、前記口部から、バルーンを膨張または収縮するために圧力流体を供給または排出、または、ガイドワイヤの挿入等の操作ができる。
【００１２】
本発明の実施形態としてのカッティングバルーンカテーテルにおいて、バルーンの膨張状態の遠位端側を、図１に示す。本発明の実施形態としてのカッティングバルーンカテーテルの遠位端側には、バルーンが取り付けられている。
【００１３】
カッティングバルーンカテーテル１の遠位端側は、カテーテル本体２、バルーン３、第１管体４、第２管体５、第１管体４と第２管体５とを接続する超弾性ワイヤ６、超弾性ワイヤの外面に設けられた突出部７およびコントロール部位８によって構成されている。
【００１４】
本発明のカッティングバルーンカテーテル１には、長尺のカテーテル本体２が備えられている。カテーテル本体２は、挿入対象となる血管に挿入可能な太さと、目的とする治療部位まで達する長さを有している。また、カテーテル本体２は、血管に沿って湾曲可能な軟質材料によって形成されており、素材として、例えば、ポリアミド、ポリ塩化ビニル、ポリウレタン、ポリイミド、ポリエチレン、ポリエチレンエラストマー、ポリプロピレン、ポリテトラフルオロエチレン、ポリエーテルエーテルケトン、ポリフッ化ビニリデン等の合成樹脂材料、ステンレス鋼，ニッケル−チタン合金等の金属材料及びこれらの組み合わせによって成形されたものが好適に採用される。
【００１５】
また、カテーテル本体２は、それぞれ長尺チューブ状とされた内シャフトとディスタールシャフトによって構成されており、ディスタールシャフトの中央孔に内シャフトが挿通されていると共に、内シャフトの遠位端側がディスタールシャフトの遠位端側から軸方向で突出していることが望ましい。さらに、内シャフトの遠位端側には、遠位端側に向かって縮径する略筒状とされた先端チップが取り付けられていることが望ましい。
【００１６】
バルーン３は、略袋状形状であって、素材として、例えば、ポリエチレンテレフタレート、ナイロン、ポリアミド、ポリエチレン、ポリエチレンエラストマー、ポリプロピレン、シリコンゴム、ラテックスゴム等が挙げられる。その中でも、バルーン３の素材は、製造上の観点から、ポリエチレンテレフタレートまたはナイロンが望ましい。
【００１７】
バルーン３は、ディスタールシャフトから突出した内シャフトの遠位端側を取り囲むように配置されていることが望ましい。バルーン３の配置は、例えば、バルーン３の近位端側をディスタールシャフトの遠位端側に固着し、バルーン３の内部空間が調圧用ルーメンに連通されている一方、バルーン３の遠位端側が、内シャフトの遠位端側に溶着されると共に先端チップに固着されるような態様が望ましい。また、バルーン３は、膨張または収縮の方法を特に限定しないが、カッティングバルーンカテーテルの近位端側からの流体の供給または排出する態様が望ましい。当該流体の供給または排出によって、バルーン３は、膨張または収縮され、その状態を以後膨張状態または収縮状態と記す。
【００１８】
第１管体４および第２管体５は、それぞれ、バルーン３の遠位端側および近位端側に設けられる。第１管体４および第２管体５の配置としては、いずれか一方が摺動可能に配置されればよい。第１管体４および第２管体５は、望ましい配置の態様として、血管内で膨張および収縮を繰り返しても超弾性ワイヤ５がバルーン３から脱落しにくいという観点から、第１管体がカテーテル本体に固定され、第２管体がカテーテル本体と摺動可能であることが挙げられる。
【００１９】
第１管体４がカテーテル本体に固定するとは、特にその方法を限定しないが、例えば、接着または溶着等が挙げられる。ここでいう接着とは、接着剤により固定されることが望ましい。その接着剤としては、例えば、エポキシ系接着剤、アクリル系接着剤、シアノアクリルレート系接着剤、ウレタン系接着剤等が挙げられる。
【００２０】
第２管体５がカテーテル本体に摺動可能とは、特にその方法を限定しないが、例えば、第２管体５の内孔がカテーテル本体２の径より大きいために、長手方向前後にスライドされる態様または接触部位で回転される態様等が挙げられる。
【００２１】
第１管体４および第２管体５の素材としては、例えば、樹脂、金属、合金等が挙げられるが、カテーテル本体との接合の観点から、特にステンレス鋼、ＳＵＳ３０４を使用することが望ましい。
【００２２】
超弾性ワイヤ６は、バルーン３の外面に固着されているのでなく、バルーン３の外面に延接されている。また、超弾性ワイヤ６は、超弾性を有す、つまり、曲げたり伸ばしたりしても、その力を除くとすぐ元の形状に回復する性質を有している。超弾性ワイヤ６の素材としては、公知の超弾性材料であれば問題なく、例えば、ニッケル−チタン合金等が挙げられる。超弾性ワイヤ６の形状は、特に限定されないが、例えば、平面ワイヤ形状、凸状ワイヤ形状、円状ワイヤ形状等が挙げられる。
【００２３】
さらに、超弾性ワイヤ６は、その接続本数を特に限定しない。超弾性ワイヤ６は、１本または複数本用いることが可能であるが、第１管体４と第２管体５に接続しバルーン３の外面に延接しやすいという観点から、バルーン３の外周に所定間隔をおいて４本設けた構成が望ましい。
【００２４】
超弾性ワイヤ６が第１管体４と第２管体５とを接続するとは、超弾性ワイヤ６が第１管体４と第２管体５に接していればよく、第１管体４と第２管体５のいずれか一方の摺動によっても超弾性ワイヤ６が接している態様をいう。その態様は、特にその方法限定することなく、例えば、超弾性ワイヤ６が第１管体４と第２管体５にそれぞれ固定されている、または、超弾性ワイヤ６が第１管体４に固定され、第２管体５には孔を有し超弾性ワイヤ６がその孔を挿通している等、挙げられるが、超弾性を有する材料で接続されているため、第１管体４と第２管体５にそれぞれ固定されている態様の方が望ましい。
【００２５】
突出部７は、血栓を切削する機能を有し、超弾性ワイヤの外面に設けられている。突出部７は、例えば、超弾性ワイヤ６の一部を鋭利にする態様、または、別素材のブレードを超弾性ワイヤ６に接続する態様等が挙げられるが、製造上の観点から、超弾性ワイヤ６の一部を鋭利にする態様の方が望ましい。
【００２６】
本発明で用いられる超弾性ワイヤ６は、バルーンの収縮状態で突出部７が血管壁に接触しない機能を有すように、製造段階で形付けられる。その上、本発明で用いられる超弾性ワイヤ６は、バルーンの膨張状態で突出部７を血管壁方向に向ける機能を有すように製造段階で形付けられる。そして、バルーンを収縮状態に戻し、バルーン部分を血管から抜き去る場合には、超弾性ワイヤ６が超弾性を利用しているので、再度、突出部７を血管壁に向けないような機能を有す。当該機能は、コントロール部位８を有すことによって実現され、その具体的態様のバルーンの収縮状態を図２に示す。
【００２７】
図２は、本発明の実施形態としてのカッティングバルーンカテーテルのバルーンの収縮状態の遠位端側の概略が示されている。図２は、コントロール部位８が、超弾性ワイヤ６の屈折部位であることを示している。超弾性ワイヤ６の形状は前述したように特に限定されないが、平面ワイヤ形状の場合であれば、超弾性ワイヤ６が斜め長手方向へ適宜の角度に屈折部位で折り返されれば、本発明の目的が達成される。つまり、平面ワイヤ形状の超弾性ワイヤ６は、屈折部位によって折り返されるよう製造段階で形付けられる。そして、バルーンが膨張状態になれば、超弾性ワイヤの屈折部位における二辺の角度が約４５〜９０度開くことになる。その上で、屈折部位で折り返される二辺の超弾性ワイヤが斜め長手方向へ適宜の角度を有すようにする。本発明は、これらの態様によって、バルーンの収縮状態で突出部７が血管壁に接触しない機能を有し、バルーンの膨張状態で突出部７を血管壁方向に向ける機能を有すことが可能になる。なお、超弾性ワイヤ６の屈折部位は、その数を特に限定しないが、製造上の観点から、１箇所または２箇所が望ましい。
【００２８】
図３は、本発明の第２の実施形態として、超弾性ワイヤ６の屈折部位がそれぞれ遠位端側および近位端側に有し、屈折部位が波状形状であることを示している。本発明の第２の実施形態は、屈折部位を波状形状と示しているが、必ずしも波状でなければいけない訳でなく、バルーンが膨張状態になれば、超弾性ワイヤが屈折部位によって折り返されればよい。屈折部位を波状形状の全長は、バルーン３における膨張状態のときの遠位端側および近位端側テーパー部の斜面の一辺の長さと同じが望ましい。本発明は、これらの態様によって、バルーンの収縮状態で突出部７が血管壁に接触しない機能を有し、バルーンの膨張状態で突出部７を血管壁方向に向ける機能を有すことが可能になる。
【００２９】
図４は、バルーンの膨張状態の図１のカッティングバルーンカテーテルのＡ−Ａ断面図が示されている。突出部７は血管壁方向に向いている。図５は、バルーンの収縮状態の図２のカッティングバルーンカテーテルのＢ−Ｂ断面図が示されている。突出部７は血管壁に接触しない方向に向いている。例えば、突出部７は、超弾性ワイヤ６Ｂ−Ｂ断面の接線方向に向いていることが望ましい。これらの態様が、コントロール部位８を有すことによって実現される。
【符号の説明】
【００３０】
１：カッティングバルーンカテーテル、２：カテーテル本体、３バルーン、４：第１管体、５：第２管体、６：超弾性ワイヤ、７：突出部、８：コントロール部位
【図１】
2011098061.tif 000003
【図２】
2011098061.tif 000004
【図３】
2011098061.tif 000005
【図４】
2011098061.tif 000006
【図５】
2011098061.tif 000007